【手続補正書】
【提出日】平成20年7月14日(2008.7.14)
【手続補正１】
【補正対象書類名】特許請求の範囲
【補正対象項目名】全文
【補正方法】変更
【補正の内容】
【特許請求の範囲】
【請求項１】
情報信号が記録される記録層上に光透過層を有する情報記録媒体に対して照射する光を出射する光源と、
上記光源からの光を上記光透過層を介して上記記録層上に集光させる対物レンズと、
上記光源と上記対物レンズとの間に配され、所定の屈折力を有する光学素子と、
上記光学素子を光軸方向に移動させる移動手段と、
上記光学素子の光軸方向の位置を制御する制御手段とを備え、
上記光学素子は、上記光透過層の厚さ誤差に応じて球面収差を補正するとともに、温度変化によって生じる収差も合わせて補正するように移動され、
上記対物レンズの開口数ＮＡが０．６５以上であり、上記光学素子の開口数ＮＡが０．３以下である記録及び／又は再生装置。
【請求項２】
上記光学素子は、上記光透過層の厚さ誤差により生じる３次と５次の球面収差を共に補正する請求項１記載の記録及び／又は再生装置。
【請求項３】
上記光学素子は、上記光透過層の厚さ誤差及び温度変化によって生じる収差を、補正後の収差が許容範囲内に収まるように、バランス良く補正する請求項１記載の記録及び／又は再生装置。
【請求項４】
上記光学素子は、上記光透過層の厚さ誤差及び温度変化によって生じる収差の二乗平均値が最小となるように移動される請求項３記載の記録及び／又は再生装置。
【請求項５】
上記光学素子は、上記光透過層の厚さ及び温度が検出され、その検出値に応じて、予め算出しておいた位置に移動される請求項３記載の記録及び／又は再生装置。
【請求項６】
上記光学素子は、コリメータレンズからなる請求項１記載の記録及び／又は再生装置。
【請求項７】
上記光透過層の膜厚が０．４７ｍｍ以下である請求項１記載の記録及び／又は再生装置。
【請求項８】
上記移動手段は、上記光源から出射し上記光学素子に入射する光の光軸に対して略平行に配された基準軸と、
上記光学素子を支持するととともに、上記基準軸に沿って平行移動可能とされた光学素子支持手段と、
モータと、
上記モータの回転を光軸方向に沿った平行移動に変換して上記光学素子支持手段に伝達するギヤ機構とを備え、
上記モータの回転を上記ギヤ機構によって光軸方向に沿った平行移動へと変換して上記光学素子支持手段を動かすことで、上記光学素子を移動させる請求項１記載の記録及び／又は再生装置。
【請求項９】
情報信号が記録される記録層上に光透過層を有する情報記録媒体に対して照射する光を出射する光源と、
上記光源からの光を上記光透過層を介して上記記録層上に集光させる対物レンズと、
上記光源と上記対物レンズとの間に配され、所定の屈折力を有する光学素子と、
上記光学素子を光軸方向に移動させる移動手段とを備え、
上記光学素子は、上記光透過層の厚さ誤差に応じて球面収差を補正するとともに、温度変化によって生じる収差も合わせて補正するように移動され、
上記対物レンズの開口数ＮＡが０．６５以上であり、上記光学素子の開口数ＮＡが０．３以下である光学ヘッド。
【請求項１０】
上記光学素子は、上記光透過層の厚さ誤差により生じる３次と５次の球面収差を共に補正する請求項９記載の光学ヘッド。
【請求項１１】
上記光学素子は、上記光透過層の厚さ誤差及び温度変化によって生じる収差を、補正後の収差が許容範囲内に収まるように、バランス良く補正する請求項９記載の光学ヘッド。
【請求項１２】
上記光学素子は、上記光透過層の厚さ誤差及び温度変化によって生じる収差の二乗平均値が最小となるように移動される請求項１１記載の光学ヘッド。
【請求項１３】
上記光学素子は、上記光透過層の厚さ及び温度が検出され、その検出値に応じて、予め算出しておいた位置に移動される請求項１１記載の光学ヘッド。
【請求項１４】
上記光学素子は、コリメータレンズからなる請求項９記載の光学ヘッド。
【請求項１５】
上記光透過層の膜厚が０．４７ｍｍ以下である請求項９記載の光学ヘッド。
【請求項１６】
上記移動手段は、上記光源から出射し上記光学素子に入射する光の光軸に対して略平行に配された基準軸と、
上記光学素子を支持するととともに、上記基準軸に沿って平行移動可能とされた光学素子支持手段と、
モータと、
上記モータの回転を光軸方向に沿った平行移動に変換して上記光学素子支持手段に伝達するギヤ機構とを備え、
上記モータの回転を上記ギヤ機構によって光軸方向に沿った平行移動へと変換して上記光学素子支持手段を動かすことで、上記光学素子を移動させる請求項９記載の光学ヘッド。
【手続補正２】
【補正対象書類名】明細書
【補正対象項目名】０００１
【補正方法】変更
【補正の内容】
【０００１】
本発明は、光ディスク等のような情報記録媒体に対して記録及び／又は再生を行う際に使用される光学ヘッド、並びにこれを用いた記録及び／又は再生装置に関する。
【手続補正３】
【補正対象書類名】明細書
【補正対象項目名】０００９
【補正方法】変更
【補正の内容】
【０００９】
本発明は、以上のような従来の実情に鑑みて提案されたものであり、開口数ＮＡを大きくしても球面収差を抑えることが可能な光学ヘッド並びに記録及び／又は再生装置を提供することを目的としている。
【手続補正４】
【補正対象書類名】明細書
【補正対象項目名】００１０
【補正方法】変更
【補正の内容】
【００１０】
本発明に係る記録及び／又は再生装置は、情報信号が記録される記録層上に光透過層を有する情報記録媒体に対して照射する光を出射する光源と、上記光源からの光を上記光透過層を介して上記記録層上に集光させる対物レンズと、上記光源と上記対物レンズとの間に配され、所定の屈折力を有する光学素子と、上記光学素子を光軸方向に移動させる移動手段と、上記光学素子の光軸方向の位置を制御する制御手段とを備え、上記光学素子は、上記光透過層の厚さ誤差に応じて球面収差を補正するとともに、温度変化によって生じる収差も合わせて補正するように移動され、上記対物レンズの開口数ＮＡが０．６５以上であり、上記光学素子の開口数ＮＡが０．３以下である。
【手続補正５】
【補正対象書類名】明細書
【補正対象項目名】００１１
【補正方法】変更
【補正の内容】
【００１１】
なお、上記記録及び／又は再生装置において、上記光学素子は、上記光透過層の厚さ誤差により生じる３次と５次の球面収差を共に補正するようにしてもよい。
また、上記記録及び／又は再生装置において、上記光学素子は、上記光透過層の厚さ誤差及び温度変化によって生じる収差を、補正後の収差が許容範囲内に収まるように、バランス良く補正するようにしてもよい。
また、上記記録及び／又は再生装置において、上記光学素子は、上記光透過層の厚さ誤差及び温度変化によって生じる収差の二乗平均値が最小となるように移動されるようにしてもよい。
また、上記記録及び／又は再生装置において、上記光学素子は、上記光透過層の厚さ及び温度が検出され、その検出値に応じて、予め算出しておいた位置に移動されるようにしてもよい。
また、上記記録及び／又は再生装置において、上記光学素子としては、例えば、コリメータレンズが好適である。このコリメータレンズは、上記光透過層の厚さが規定値通りの場合には、上記光源から出射され上記対物レンズに入射する光を略平行光とするものである。
【手続補正６】
【補正対象書類名】明細書
【補正対象項目名】００１２
【補正方法】変更
【補正の内容】
【００１２】
また、上記記録及び／又は再生装置において、上記情報記録媒体としては、光透過層の膜厚が０．４７ｍｍ以下のものが好適である。
【手続補正７】
【補正対象書類名】明細書
【補正対象項目名】００１３
【補正方法】変更
【補正の内容】
【００１３】
また、上記記録及び／又は再生装置において、光学素子を移動させる移動手段としては、光源から出射し光学素子に入射する光の光軸に対して略平行に配された基準軸と、光学素子を支持するととともに基準軸に沿って平行移動可能とされた光学素子支持手段と、モータと、モータの回転を光軸方向に沿った平行移動に変換して光学素子支持手段に伝達するギヤ機構とを備えたものが好適である。この場合、移動手段は、モータの回転をギヤ機構によって光軸方向に沿った平行移動へと変換して光学素子支持手段を動かすことで、上記光学素子を移動させる。
【手続補正８】
【補正対象書類名】明細書
【補正対象項目名】００１４
【補正方法】変更
【補正の内容】
【００１４】
また、本発明に係る光学ヘッドは、情報信号が記録される記録層上に光透過層を有する情報記録媒体に対して照射する光を出射する光源と、上記光源からの光を上記光透過層を介して上記記録層上に集光させる対物レンズと、上記光源と上記対物レンズとの間に配され、所定の屈折力を有する光学素子と、上記光学素子を光軸方向に移動させる移動手段とを備え、上記光学素子は、上記光透過層の厚さ誤差に応じて球面収差を補正するとともに、温度変化によって生じる収差も合わせて補正するように移動され、上記対物レンズの開口数ＮＡが０．６５以上であり、上記光学素子の開口数ＮＡが０．３以下である。
【手続補正９】
【補正対象書類名】明細書
【補正対象項目名】００１５
【補正方法】変更
【補正の内容】
【００１５】
以上のような本発明に係る光学ヘッド並びに記録及び／又は再生装置では、光源と対物レンズとの間に配された所定の屈折力を有する光学素子を、光透過層の厚さに応じて球面収差を打ち消すように、移動手段により移動するようにしている。したがって、光透過層に厚み誤差があったとしても、当該厚み誤差に起因する球面収差の発生を抑えることができる。